(57)【要約】【課題】鉛問題や金属アレルギーの問題が生じず、安価で破損し難く、被連結部材を強固且つ簡単に連結できる連結具を提供する。【解決手段】平面視略Ｃ字状の連結環６を有する合成樹脂製の連結具１である。連結環６の一端部の上面に一端が連結環６の端面から開口する嵌込溝７を形成する。連結環６の他端部に嵌込溝７に上方から着脱自在に嵌め込まれる被嵌込部８を形成する。被嵌込部８を嵌込溝７よりも下方に位置させる。【選択図】図１
2008309216.tif 000002
【特許請求の範囲】
【請求項１】
平面視略Ｃ字状の連結環を有する合成樹脂製の連結具であって、連結環の一端部の上面に一端が連結環の端面に開口する嵌込溝を形成すると共に、他端部に前記嵌込溝に上開口から着脱自在に嵌め込まれる被嵌込部を形成し、被嵌込部を嵌込溝よりも下方に位置させて成ることを特徴とする連結具。
【請求項２】
前記連結環の被嵌込部側の半部をフック部とし、該フック部を基端から先部側に行く程下方に位置するよう湾曲させて成ることを特徴とする請求項１に記載の連結具。
【請求項３】
前記連結環の周方向の途中部に被連結部材に連結可能な連結部を形成し、該連結部を連結環の外側に突出させて成ることを特徴とする請求項２に記載の連結具。
【請求項４】
前記連結環の端面から形成した嵌込溝の奥部を被嵌込部が嵌め込まれる嵌合部とすると共に前部を被嵌込部の幅よりも溝幅の狭い抜止部として成ることを特徴とする請求項１乃至３のいずれか１項に記載の連結具。
【発明の詳細な説明】
【技術分野】
【０００１】
本発明は携帯ストラップ等に利用される連結具に関する。
【背景技術】
【０００２】
携帯ストラップには、携帯電話機側に取付けられる連結紐と装飾品を連結具で連結したものがあり、この連結具として図１１に示す連結具１′が利用されている。連結具１′は金属製で装飾品を取り付け可能な環状のものであり、連結具１′の周方向の途中部には連結紐が結び付けられる連結部１４′を形成している。連結具１′はフック２８とフック２８に回動自在に設けた開閉体２９とからなり、開閉体２９を回動して連結具１′を開閉する。また、図示は省略するが、この連結具１′には開閉体２９に対して連結具１′を閉じる方向に付勢するばねが内装してある。なお、例えば特許文献１には金属製の連結具が開示してある。
【０００３】
ところで上記連結具１′を成形性やコストを考慮して鉛を多く含有した金属で製造すると、誤飲により脳神経が冒される等の健康被害が生じる恐れがある。またこのように鉛を含有した連結具は脆く強度上の問題もある。このため近年では鉛を含まない真鍮製の連結具が利用されているが高価である。また、このような金属製の連結具は硬いため、携帯電話に当たった時に携帯電話を傷つけるという問題もあり、また金属アレルギーが生じる恐れもある。また、図１１に示す連結具１′はフック２８と開閉体２９の二部材で構成すると共にばねを設ける必要があるため、製造コストが高いという問題がある。
【特許文献１】実用新案登録第３１１６９５７号公報
【発明の開示】
【発明が解決しようとする課題】
【０００４】
本発明は上記従来の問題点に鑑みて発明したものであって、鉛問題や金属アレルギーの問題が生じず、安価で破損し難く、また被連結部材を強固且つ簡単に連結できる連結具を提供することを課題とする。
【課題を解決するための手段】
【０００５】
上記課題を解決するために本発明に係る連結具は、平面視略Ｃ字状の連結環６を有する合成樹脂製の連結具１であって、連結環６の一端部の上面に一端が連結環６の端面に開口する嵌込溝７を形成すると共に、他端部に前記嵌込溝７に上開口から着脱自在に嵌め込まれる被嵌込部８を形成し、被嵌込部８を嵌込溝７よりも下方に位置させて成ることを特徴とする。
【０００６】
このように本発明の連結具１は合成樹脂製であるので、鉛含有金属製の連結具のように脆くなく、また金属製の連結具と比較して柔らかくできる。また、連結環６の一端部に設けた嵌込溝７に他端部の被嵌込部８を嵌め込むことで連結環６の両端部を連結できる。また、被嵌込部８を嵌込溝７に嵌め込んでいない状態では、被嵌込部８が嵌込溝７よりも下方に位置するので、連結環６の弾性復帰力を利用して被嵌込部８を嵌込溝７の上方から嵌め込むことができ、またこの嵌込状態では連結環６の弾性力により被嵌込部８が嵌込溝７の底面部に弾接するので、被嵌込部８は嵌込溝７から上方に抜け難い。
【０００７】
また、請求項２は請求項１において、前記連結環６の被嵌込部８側の半部をフック部１５とし、該フック部１５を基端から先部側に行く程下方に位置するよう湾曲させて成ることを特徴とする。これにより、被嵌込部８を嵌込溝７に嵌め込む際には、フック部１５と反対側の半部を保持し、フック部１５の下方に湾曲する部分を上から押さえ、この押さえた部分を支点にし、てこの原理によりフック部１５の先端部を持ち上げることができる。
【０００８】
また、請求項３は請求項２において、前記連結環６の周方向の途中部に被連結部材に連結可能な連結部１４を形成し、該連結部１４を連結環６の外側に突出させて成ることを特徴とする。上記被嵌込部８を嵌込溝７に嵌め込むにあたって、フック部１５の先端部を持ち上げる際に、連結環６の外側に突出する連結部１４を摘んで保持することができる。
【０００９】
また請求項４は請求項１乃至３のいずれかにおいて、前記連結環６の端面から形成した嵌込溝７の奥部を被嵌込部８が嵌め込まれる嵌合部１０とすると共に前部を被嵌込部８の幅よりも溝幅の狭い抜止部１２として成ることを特徴とする。抜止部１２により被嵌込部８が連結環６の端面側に抜けることを防止できる。
【発明の効果】
【００１０】
請求項１に係る発明では、連結具を合成樹脂製とすることで、鉛問題や金属アレルギーの問題が生じず、且つ材料コストを低減でき、また生産性も高まり、鉛含有金属製の連結具のように脆くなく、破損しにくいものにできる。また、金属製の連結具と比較して柔らかく、連結具で他のものが傷つけられことを防止できる。また、連結環の一端部に設けた嵌込溝に他端部の被嵌込部を嵌め込むことで連結環の両端部を強固に連結できる。また、被嵌込部を嵌込溝に嵌め込んでいない状態では、被嵌込部が嵌込溝よりも下方に位置するので、連結環の弾性復帰力を利用して被嵌込部を嵌込溝の上方から簡単に嵌め込むことができ、またこの嵌込状態では連結環の弾性力により被嵌込部が嵌込溝の底面部に弾接するので、被嵌込部は嵌込溝から上方に抜け出難い。
【００１１】
また、請求項２は請求項１において、被嵌込部を嵌込溝に嵌め込む際には、フック部と反対側の半部を保持し、フック部の下方に湾曲する部分を上から押さえ、この押さえた部分を支点にし、てこの原理によりフック部の先端部を持ち上げることができ、被嵌込部を嵌込溝に簡単に嵌め込むことができる。
【００１２】
また、請求項３は請求項２において、被連結部材が連結される連結部を摘み部として利用でき、被嵌込部を嵌込溝に嵌め込む際には、連結部を摘んでフック部の先端部を簡単に持ち上げることができる。
【００１３】
また、請求項４は請求項１乃至３のいずれかにおいて、抜止部により被嵌込部が連結環の端面側に抜け出ることを防止でき、連結環の両端部をより強固に連結できる。
【発明を実施するための最良の形態】
【００１４】
以下、本発明を添付図面に示す実施形態に基づいて説明する。なお、以下の実施形態では、本発明の連結具１を携帯ストラップ２を構成する装飾品５と連結紐４を連結するために用いた例について説明するが、その他の２以上の被連結部材を連結するものに用いても良いものとする。
【００１５】
図５は本発明の実施の形態の一例の連結具１を備えた携帯ストラップ２の斜視図である。携帯ストラップ２は、携帯電話機３側に取付けられる連結紐４と、連結紐４に連結具１を介して連結される装飾品５とを備えており、即ち、本例では連結紐４及び装飾品５を被連結部材としている。装飾品５としては、帯状又は環状のストラップ本体、キーホルダー、キャラクター、飾り等が挙げられる。
【００１６】
図１乃至図３に連結具１を示す。連結具１は弾性を有する合成樹脂成形品からなり、成形材料としては、強度、弾性、成形性等を考慮してポリアセタールが用いられる。連結具１は周方向の一部を分断した略Ｃ字状の連結環６で主体が構成され、該連結環６の内側に一方の被連結部材である装飾品５が連結される。
【００１７】
連結環６の周方向の一端部には嵌込溝７を形成すると共に反対側の他端部には嵌込溝７に着脱自在に嵌め込まれる被嵌込部８を形成してあり、被嵌込部８を嵌込溝７に嵌め込むことで連結環６は閉じて環状をなし、被嵌込部８を嵌込溝７から取り外すことで連結環６は開いてＣ字状をなす。なお、以下の連結具１の説明では特に記載する場合を除き嵌込溝７に被嵌込部８を嵌め込んでいない状態について説明し、また略Ｃ字状の連結環６の一側面側を上方、反対の側面側を下方と定義して説明する。
【００１８】
平面視略Ｃ字状の連結環６の一端部は他部よりも大径の大径部９としてあり、大径部９の上面に嵌込溝７が形成されている。また、連結環６の嵌込溝７と反対側の端部は球状部としてあり、該球状部を被嵌込部８としている。また、連結環６の周方向において嵌合部１０の直前の部分は嵌合部１０側程小径となる絞り部１１となっている。
【００１９】
上方に開口する嵌込溝７は連結環６の端面から連結環６の周方向に伸び、一端は連結環６の端面側に開口している。嵌込溝７は連結環６の端面と反対側の奥部に位置する嵌合部１０と、連結環６の端面側の前部に位置する抜止部１２で構成してある。嵌合部１０は被嵌込部８と略同径の平面視円形の穴からなる。嵌合部１０にはその上開口から被嵌込部８を挿入することで下部に被嵌込部８を嵌め込むことができ、また、嵌合部１０に嵌め込まれた被嵌込部８を上開口から上方に引き出すことができる。
【００２０】
抜止部１２は一端が嵌合部１０の幅方向の中央部に連通している。抜止部１２の最小溝幅は被嵌込部８の幅（直径）よりも狭く、且つ前記絞り部１１の直径よりも広い。従って、被嵌込部８を嵌合部１０に上方から嵌め込む時には、抜止部１２の上方開口から連結環６の絞り部１１が挿入され、最終的に被嵌込部８が嵌合部１０に嵌め込まれた状態では、絞り部１１は抜止部１２の下部に位置し、該抜止部１２により被嵌込部８が連結環６の端面側に抜け出ることが防止される。抜止部１２の下部は連結環６の周方向で見た断面が円形の孔１３からなり、該孔１３はその最大幅が孔１３の上端から上方に延びる抜止部１２の上部の溝幅よりも広く且つ被嵌込部８よりも小径となっている。このため、被嵌込部８が嵌合部１０の下部に嵌め込まれた状態では、絞り部１１を抜止部１２の上部から側方にずれた位置に配置でき、この点で絞り部１１は上方に抜け難くなっている。また、嵌合部１０の底面は抜止部１２の底面の嵌合部１０側の縁部よりも下方に位置し、このため嵌合部１０に嵌め込まれた被嵌込部８は抜止部１２の底面の嵌合部１０側の縁部に引っ掛かって連結環６の端面側にさらに抜け難くなっている。また、抜止部１２の底面は嵌合部１０側から離れる程下方に位置するように傾斜しており、被嵌込部８を嵌合部１０に嵌め込んだ状態では抜止部１２の底面の傾斜に沿って絞り部６が傾斜させることができ、この点で被嵌込部８は上方にも抜け難くなっている。
【００２１】
連結環６の周方向の途中部には連結紐４を取り付けるための連結部１４を形成している。連結部１４は連結環６の内径よりも小さい平面視円環状に形成してあり、連結環６の外側に突出している。図５に示すように連結紐４は連結部１４の上下開口から挿通され、両端部を結んで連結することで連結部１４に取り付けられる。なお、図示は省略するが、連結紐４の連結具１と反対側の端部は図示しない携帯電話機３のストラップ挿通孔に挿通されて結び付けられる。また、連結紐４の両端部の結び目は連結紐４に取り付けたＡＢＳ等の合成樹脂製のカバー２６で覆われる。
【００２２】
連結部１４は連結環６の周方向の中間よりも嵌込溝７側に位置し、連結環６の連結部１４から被嵌込部８に至るまでの部分、つまり連結環６の被嵌込部８側の半部はフック部１５となっている。連結環６の連結部１４よりも嵌込溝７側の部分は水平であり、連結環６の嵌込溝７側の端部は連結部１４と同レベルに位置している。これに対してフック部１５はその先部が連結部１４側の基端よりも下方に位置するよう弧状に湾曲し、これによりフック部１５の先端に形成した被嵌込部８は嵌込溝７よりも下方に位置している。なお、前記フック部１５の先部とは図２（ｅ）中「ａ」で示す範囲の平面視弧状の部分である。また、前記フック部１５の周方向における先部の中間位置、即ちフック部１５の先端に形成した被嵌込部８と該フック部１５の被嵌込部８に対向する位置の中間位置をＭとすると、本例のフック部１５は基端から位置Ｍまでの部分が下方に湾曲しており、位置Ｍから被嵌込部８までの部分は水平となっている。なお、図示例の位置Ｍは連結部１４に対向する位置でもある。
【００２３】
ここで、上記合成樹脂製の連結具１の成形には図６に示す固定型１６と図８に示す可動型１７とからなる金型が用いられる。この金型は多数個取り用のものであって、固定型１６には各連結具１の下半部を形成する下半部形成部１９を形成し、可動型１７には各連結具１の上半部を形成する上半部形成部２０を形成している。
【００２４】
図７は下半部形成部１９の拡大図であり、下半部形成部１９の連結部１４を形成する部分には連結部１４の内側開口を形成する開口形成用突部２１を突設している。図９は上半部形成部２０の拡大図であり、上半部形成部２０の連結部１４を形成する部分にゲート２２を形成し、上半部形成部２０の大径部９を形成する部分には嵌込溝７の嵌合部１０を形成する嵌合部成形用突部２３を突設している。
【００２５】
また、可動型１７には型締め方向と直交する方向にスライドピン挿入孔２４を穿設してあり、該スライドピン挿入孔２４の一端は上半部形成部２０の大径部９を形成する部分に開口している。型締め状態においてスライドピン挿入孔２４から図１０に示すスライドピン２５の先端部を上半部形成部２０の内側に挿入できるようにしてあり、該スライドピン２５の先端部で嵌込溝７の抜止部１２を形成する。そして、上記固定型１６と可動型１８を型締めすると共に、スライドピン挿入孔２４から上半部形成部２０内にスライドピン２５を挿入することで、下半部形成部１９及び上半部形成部２０を合わせてなる空所の内側に連結具１のキャビティが形成され、該キャビティに成形材料を射出して連結具１が成形される。
【００２６】
上記連結具１の連結環６に装飾品５の環状の取付部５ａを連結するには、図１乃至図３に示すように開いた状態にある連結環６のフック部１５を取付部５ａに挿通し、この後、図４に示すように被嵌込部８を嵌込溝７に嵌め込んで連結環６を閉じる。
【００２７】
ここで、上記被嵌込部８の嵌込溝７への嵌め込みは例えば以下のように行う。まず、連結環６の外側に突出した連結部１４を一方の手で摘み、次いで他方の手の親指の先でフック部１５の下方に湾曲する部分を上から押さえる。次に前記他方の手の人差し指の先をフック部１５の先部の下面に掛け、該人差し指の先を使って、前記親指で押さえた部分を支点にフック部１５の先端部（中間位置Ｍよりも被嵌込部８側の部分）を持ち上げてフック部１５を捩じるように弾性変形しつつ被嵌込部８を嵌込溝７の上方に移動する。次いで同じ人差し指の先を使って、フック部１５の下方への弾性復帰力を利用しつつ被嵌込部８及び絞り部１１を下方の嵌合部１０及び抜止部１２の夫々に挿入する。このように被嵌込部８を嵌込溝７に嵌め込んだ状態では、被嵌込部８が嵌め込まれていない状態にある時の元の位置よりも上方に位置してフック部１５は若干弾性変形しており、該連結環６の弾性力により被嵌込部８は嵌込溝７の底面部に弾接する。
【００２８】
また、嵌込溝７から被嵌込部８を外すには、上記嵌め込み時と同様に、連結環６の外側に突出した連結部１４を一方の手で摘み、他方の手の親指の先でフック部１５の湾曲部を上から押さえ、他方の手の人差し指の先を使って、前記親指で押さえた部分を支点にフック部１５の先端部を持ち上げてフック部１５を捩じるように弾性変形しつつ被嵌込部８を嵌込溝７の上方に移動する。そして前記人差し指の力を抜けば連結環６には弾性復帰力が働き、これにより被嵌込部８が大径部９の先端側で且つ嵌込溝７よりも下方の元の位置に移動する。
【００２９】
以上説明した本発明の連結具１は合成樹脂製であるので、鉛問題や金属アレルギーの問題が生じず、且つ材料コストを低減でき、生産性も高まり、また鉛含有金属製の連結具のように脆くなく、破損しにくい。また、金属製の連結具のように硬くなく、連結具１で携帯電話機３等の他のものが傷つけられことも防止できる。
【００３０】
また、本発明の連結具１は、連結環６の一端部に設けた嵌込溝７に他端部の被嵌込部８を嵌め込むことで連結環６の両端部を強固に連結でき、連結環６に装飾品５を確実に連結でき、またこの連結具１は合成樹脂で一体に形成されたものであり、金属製の連結具のように製造時に組み立てる必要がない。また、被嵌込部８を嵌込溝７に嵌め込んでいない状態では、被嵌込部８が嵌込溝７よりも下方に位置するので、前述したように連結環６の弾性復帰力を利用して簡単に被嵌込部８を嵌込溝７に嵌め込むことができ、またこの嵌込状態では連結環６の弾性力により被嵌込部８が嵌込溝７の底面部に弾接するので、被嵌込部８は嵌込溝７から上方に抜け出難い。またこのように被嵌込部８を嵌込溝７よりも下方に位置させることで、被嵌込部８を連結環６の嵌込溝７側の端面に対向する位置から外れた位置に配置でき、これにより既述の連結具１の成形において抜止部１２を形成するスライドピン２５の配置場所を確保できる。
【００３１】
なお、本例では連結具１を携帯電話機３に取付ける携帯ストラップ２を構成する装飾品５と連結紐４を連結するために用いた例について説明したが、その他の２以上の被連結部材を連結するものに適用しても良い。
【図面の簡単な説明】
【００３２】
【図１】本発明の実施の形態の一例の連結具を示し、（ａ）は上側から視た斜視図、（ｂ）は下側から見た斜視図である。
【図２】（ａ）は同上の連結具の正面図、（ｂ）は底面図、（ｃ）は右側面図、（ｄ）は左側面図、（ｅ）は平面図、（ｆ）は背面図である。
【図３】（ａ）は図２（ｂ）のＡ−Ｂ−Ｃ−Ｄ線断面図であり、（ｂ）は図２（ｂ）のＥ−Ｂ−Ｃ−Ｆ線断面図である。
【図４】同上の閉じた状態にある連結具の斜視図である。
【図５】同上の連結具を有する携帯ストラップを携帯電話機に取り付けた状態を示す斜視図である。
【図６】同上の連結具を成形する固定型を示す斜視図である。
【図７】図６のＧ部拡大図である。
【図８】同上の連結具を成形する可動型を示す斜視図である。
【図９】図８のＨ部拡大図である。
【図１０】同上の連結具を成形するスライドピンの斜視図である。
【図１１】従来の連結具の平面図である。
【符号の説明】
【００３３】
１  連結具
６  連結環
７  嵌込溝
８  被嵌込部
【図１】
2008309216.tif 000003
【図２】
2008309216.tif 000004
【図３】
2008309216.tif 000005
【図４】
2008309216.tif 000006
【図５】
2008309216.tif 000007
【図６】
2008309216.tif 000008
【図７】
2008309216.tif 000009
【図８】
2008309216.tif 000010
【図９】
2008309216.tif 000011
【図１０】
2008309216.tif 000012
【図１１】
2008309216.tif 000013